(57)【要約】【課題】倒立だけでなく、倒立後に前転をする倒立前転をも容易に行うことができる倒立前転運動用器具を提供する。【解決手段】１対の肩当て部１２が、倒立時に両肩を支持するよう所定の間隔を開けて所定の高さに設けられている。１対のグリップ１３が、各肩当て部１２と一体であって、各伸長部２２の伸長方向と平行に伸び、各前側脚部２４の正面上部に突出して取り付けられている。前転台１４が、各肩当て部１２に連続し、各肩当て部側から前転したとき背中を支持するよう伸びている。前転台１４は、各肩当て部１２の側の前端部から後端部に向かって上面が下向きに傾斜しているか、または傾動可能になっている。【選択図】図１
0003206522.tif 000002
【実用新案登録請求の範囲】
【請求項１】
倒立した後、前転を行う運動のための倒立前転運動用器具であって、
倒立時に両肩を支持するよう所定の間隔を開けて所定の高さに設けられた１対の肩当て部と、
各肩当て部と一体であって、倒立時に１対の肩当て部で両肩を支持された状態で握るための１対のグリップと、
各肩当て部に連続し、各肩当て部側から前転したとき背中を支持するよう伸びる前転台とを、
有することを特徴とする倒立前転運動用器具。
【請求項２】
支持台を有し、
各肩当て部、各グリップおよび前記前転台は前記支持台に設けられ、
前記前転台は、前記支持台を水平面上に設置した状態で、各肩当て部側の前端部から後端部に向かって上面が下向きに傾斜しているか、または傾動可能になっていることを特徴とする請求項１記載の倒立前転運動用器具。
【請求項３】
緩衝器を有し、
前記前転台は、前記支持台を水平面上に設置した状態で、前記後端部が前記前端部に対し下向きに傾動可能に前記支持台に設けられ、
前記緩衝器は前記後端部が上方から受ける衝撃を緩和可能に前記支持台と前記前転台の前記後端部との間に設けられていることを、
特徴とする請求項１または２記載の倒立前転運動用器具。
【考案の詳細な説明】
【技術分野】
【０００１】
本考案は、倒立前転運動用器具に関する。
【背景技術】
【０００２】
従来、倒立運動用器具として、左右の肩載せ台と左右のグリップとを有し、左右のグリップを握り、肩載せ台に左右の肩を載せて倒立を行うことができるものや（例えば、特許文献１または２参照）、椅子の座る部分の一部を開いて、頭が入る空間と左右の肩載せ台とを作り、左右のグリップを取り出して握り、椅子の一部を開いた空間に頭を入れ、肩載せ台に左右の肩を載せて倒立を行うことができるものがある（例えば、特許文献３参照）。
【先行技術文献】
【特許文献】
【０００３】
【特許文献１】特開平９−２２５０６３号公報
【特許文献２】特開平１０−３０９３２７号公報
【特許文献３】実用新案登録第３０７８２６４号公報
【考案の概要】
【考案が解決しようとする課題】
【０００４】
特許文献１乃至３に記載の倒立運動用器具は、容易に倒立ができるよう補助するものであるが、倒立後には両脚を体の正面側に戻さなければならず、倒立以外に、倒立からの一連の運動を行うことはできないという課題があった。
【０００５】
本考案は、このような課題に着目してなされたもので、倒立だけでなく、倒立後に前転をする倒立前転をも容易に行うことができる倒立前転運動用器具を提供することを目的とする。
【課題を解決するための手段】
【０００６】
上記目的を達成するために、本考案に係る倒立前転運動用器具は、倒立した後、前転を行う運動のための倒立前転運動用器具であって、倒立時に両肩を支持するよう所定の間隔を開けて所定の高さに設けられた１対の肩当て部と、各肩当て部と一体であって、倒立時に１対の肩当て部で両肩を支持された状態で握るための１対のグリップと、各肩当て部に連続し、各肩当て部側から前転したとき背中を支持するよう伸びる前転台とを、有することを特徴とする。
【０００７】
本考案に係る倒立前転運動用器具は、左右の手でそれぞれ各グリップを握り、各肩当て部に左右の肩を載せて倒立を行うことができる。また、倒立の姿勢から各グリップを離し、体を丸めながら前転台の上でその後端側に転がることにより、前転を行うことができる。このように、本考案に係る倒立前転運動用器具は、倒立だけでなく、倒立後に前転を行う倒立前転をも容易に行うことができる。
【０００８】
本考案に係る倒立前転運動用器具を利用して倒立することにより、肩こりの解消や、下垂ぎみの内臓の位置を戻す効果を得ることができる。また、筋肉のバランスや運動機能を高める効果を得ることもできる。また、本考案に係る倒立前転運動用器具を利用して倒立後に前転を行うことにより、倒立だけを行う場合よりも、筋肉のバランスや運動機能を高める効果をさらに向上させることができる。
【０００９】
本考案に係る倒立前転運動用器具は、倒立からスムーズに前転を行えるよう、各肩当て部の上面と、前転台の前端部の上面とが滑らかに連続していることが好ましい。また、各グリップは、各肩当て部よりも低い位置に設けられていることが好ましく、使用しないときに折り畳んで収納可能な構成を有していてもよい。
【００１０】
本考案に係る倒立前転運動用器具で、前記前転台は、前記支持台を水平面上に設置した状態で、各肩当て部側の前端部から後端部に向かって上面が下向きに傾斜しているか、または傾動可能になっていることが好ましい。この場合、重力を利用して、前転を容易に行うことができる。
【００１１】
本考案に係る倒立前転運動用器具は、緩衝器を有し、前記前転台は、前記支持台を水平面上に設置した状態で、前記後端部が前記前端部に対し下向きに傾動可能に前記支持台に設けられ、前記緩衝器は前記後端部が上方から受ける衝撃を緩和可能に前記支持台と前記前転台の前記後端部との間に設けられていることが好ましい。この場合、倒立から前転運動に移行する際の衝撃を緩衝器により緩和することができ、衝撃による痛みや怪我を防ぐことができる。前転台は、前端部が支持台に回動可能に設けられていることが好ましい。
【００１２】
本考案に係る倒立前転運動用器具において、各肩当て部および前記前転台は、ウレタンゴムなどの柔軟性部材で構成されることが好ましい。この場合、倒立や前転をしたとき、肩や背中の接触部分が痛くなるのを防ぐことができる。
【考案の効果】
【００１３】
本考案によれば、倒立だけでなく、倒立後に前転をする倒立前転をも容易に行うことができる倒立前転運動用器具を提供することができる。
【図面の簡単な説明】
【００１４】
【図１】本考案の実施の形態の倒立前転運動用器具を示す（ａ）常態時の斜視図、（ｂ）前転台が下方向に回転したときの斜視図である。
【図２】本考案の実施の形態の倒立前転運動用器具の（ａ）倒立時、（ｂ）前転時の使用状態を示す側面図である。
【考案を実施するための形態】
【００１５】
以下、図面に基づき本考案の実施の形態について説明する。
図１および図２は、本考案の実施の形態の倒立前転運動用器具を示している。
図１に示すように、倒立前転運動用器具１０は、倒立した後、前転を行う運動のための倒立前転運動用器具であって、支持台１１と１対の肩当て部１２と１対のグリップ１３と前転台１４と緩衝器１５とを有している。
【００１６】
支持台１１は、フレーム状であって、横方向に伸びる細長い矩形枠体２１と、矩形枠体２１の長辺に沿って、矩形枠体２１の前端側から伸びる１対の伸長部２２と、矩形枠体２１の後端側の２隅から下方に伸びる２本の後側脚部２３と、各伸長部２２の先端から下方に伸びる２本の前側脚部２４とを有している。支持台１１は、各後側脚部２３および各前側脚部２４を水平面に設置したとき、各伸長部２２が水平を成し、矩形枠体２１が各後側脚部２３の側に向かってやや下がるようになっている。
【００１７】
各後側脚部２３は、矩形枠体２１の伸長方向に沿ってやや外側に傾斜して伸びている。各後側脚部２３および各前側脚部２４の各下面には、滑り止め用のゴム板２５が後部ごとおよび前部ごとに各脚部を接続するよう取り付けられている。
【００１８】
各肩当て部１２は、それぞれ支持台１１の各伸長部２２の上面に取り付けられている。各肩当て部１２は、倒立時に両肩を支持するよう、所定の間隔を開けて所定の高さに設けられている。各肩当て部１２は、所定の厚みを有し、ウレタンゴム製のマットをレザーシートで覆って形成されて柔軟性を有している。各グリップ１３は、支持台１１および各肩当て部１２と一体であって、各伸長部２２の伸長方向と平行に伸び、各前側脚部２４の正面上部に突出して取り付けられている。各グリップ１３は、各肩当て部よりも低い位置に設けられており、倒立時に１対の肩当て部１２で両肩を支持された状態で握ることができるようになっている。
【００１９】
前転台１４は、木製の板の上部にウレタンゴム製のマットを敷き、上面および側面をレザーシートで覆って構成され、上面が柔軟性を有している。前転台１４は、矩形状を成し、支持台１１の矩形枠体２１の上部に配置されている。前転台１４は、前端部の上面が各肩当て部１２の上面に滑らかに連続し、各肩当て部側から前転したとき背中を支持するよう伸びている。前転台１４は、矩形枠体２１の各伸長部２２の側の短辺に２つの蝶番２６で取り付けられ、前転台１４の前端部を中心軸として後端部が上下するよう回動可能となっている。前転台１４は、矩形枠体２１の上部に重なったとき、各肩当て部１２の側の前端部から後端部に向かって上面が下向きに傾斜するようになっている。
【００２０】
緩衝器１５は、油圧式のショックアブソーバーおよびコイルスプリングから成っている。緩衝器１５は、各後側脚部２３を接続するゴム板２５と前転台１４の後端部との間に設けられている。緩衝器１５は、前転台１４の後端部を矩形枠体２１から浮かした状態で支持し、後端部が上方から受ける衝撃を緩和可能になっている。前転台１４は、各後側脚部２３および各前側脚部２４を水平面上に設置したとき、常態で前転台１４の上面がほぼ水平となって各肩当て部１２の上面と水平に連続し、後端部に荷重が加わると、後端部が前端部に対し下向きに傾動して矩形枠体２１の上部に重なり、前端部から後端部に向かって上面が下向きに傾斜する。
【００２１】
次に、作用について説明する。
倒立前転運動用器具１０は、水平な場所に設置されて、以下のようにして用いられる。
図２（ａ）に示すように、使用者１は、左右の手でそれぞれ各グリップ１３を握り、各肩当て部１２に左右の肩を載せて倒立を行うことができる。また、図２（ｂ）に示すように、使用者１は、倒立の姿勢から各グリップ１３を離し、体を丸めながら前転台の上でその後端部側に転がることにより、前転を行うことができる。このとき、前転台１４の前端部を中心軸として後端部が下がるよう回動し、倒立から前転運動に移行する際の衝撃を緩衝器１５により緩和することができる。また、衝撃による痛みや怪我を防ぐことができる。このように、倒立前転運動用器具１０は、倒立だけでなく、倒立後に前転を行う倒立前転をも容易に行うことができる。
【００２２】
倒立前転運動用器具１０は、水平な場所に設置したとき、各肩当て部１２の上面と前転台１４の上面とがほぼ同じ高さで滑らかに連続しているため、倒立からスムーズに前転を行うことができる。また、前転時に、前転台１４の前端部を中心軸として後端部が下がるよう回動し、矩形枠体２１の上部に重なって前端部から後端部に向かって上面が下向きに傾斜する。このため、重力を利用して、容易に前転を行うことができる。また、各肩当て部１２の上面および前転台１４の上面は柔軟性を有しているため、倒立や前転をしたとき、肩や背中の接触部分が痛くなるのを防ぐことができる。
【００２３】
倒立前転運動用器具１０を利用して倒立することにより、肩こりの解消や、下垂ぎみの内臓の位置を戻す効果を得ることができる。また、筋肉のバランスや運動機能を高める効果を得ることもできる。また、倒立前転運動用器具１０を利用して倒立後に前転を行うことにより、倒立だけを行う場合よりも、筋肉のバランスや運動機能を高める効果をさらに向上させることができる。
【００２４】
なお、倒立前転運動用器具１０は、前転台１４の上面全体が上下動可能であってもよい。また、倒立を行いやすいよう、各肩当て部１２が、各伸長部２２の先端側に向かって下向きに傾斜していてもよい。また、各グリップ１３が、その先端に向かって上向きになるよう設けられていてもよい。
【符号の説明】
【００２５】
１  使用者
１０  倒立前転運動用器具
１１  支持台
２１  矩形枠体
２２  伸長部
２３  後側脚部
２４  前側脚部
２５  ゴム板
１２  肩当て部
１３  グリップ
１４  前転台
２６  蝶番
１５  緩衝器
【図１】
0003206522.tif 000003
【図２】
0003206522.tif 000004
【手続補正書】
【提出日】平成28年7月26日(2016.7.26)
【手続補正１】
【補正対象書類名】実用新案登録請求の範囲
【補正対象項目名】請求項３
【補正方法】変更
【補正の内容】
【請求項３】
緩衝器を有し、
前記前転台は、前記支持台を水平面上に設置した状態で、前記後端部が前記前端部に対し下向きに傾動可能に前記支持台に設けられ、
前記緩衝器は前記後端部が上方から受ける衝撃を緩和可能に前記支持台と前記前転台の前記後端部との間に設けられていることを、
特徴とする請求項２記載の倒立前転運動用器具。